(57)【要約】【課題】ポップアップ動作するストロボ等の可動部材とチルトアップ動作する表示ユニット等の回動部材との干渉を未然に防止して、可動部材と回動部材を備える機器を小型化する。【解決手段】本体１に対し収納及び突出可能にポップアップ動作する可動部材３と、本体１に対し回動可能にチルトアップ動作する回動部材５と、を備える機器であって、回動部材５のチルトアップ動作時に可動部材３のポップアップ動作を禁止する制御手段を備える。具体的には、回動部材５が所定角度以上にチルトアップ動作されたか否かを判定する判定手段を備え、回動部材５が所定角度以上にチルトアップ動作されたと判定手段が判定した時、制御手段が可動部材３のポップアップ動作を禁止する。【選択図】図６
2015102705.tif 000002
【特許請求の範囲】
【請求項１】
本体に対し収納及び突出可能にポップアップ動作する可動部材と、
前記本体に対し回動可能にチルトアップ動作する回動部材と、を備える機器であって、
前記回動部材のチルトアップ動作時に前記可動部材のポップアップ動作を禁止する制御手段を備えることを特徴とする可動部材と回動部材の制御装置。
【請求項２】
前記回動部材が所定角度以上にチルトアップ動作されたか否かを判定する判定手段を備え、
前記回動部材が前記所定角度以上にチルトアップ動作されたと前記判定手段が判定した時、前記制御手段が前記可動部材のポップアップ動作を禁止することを特徴とする請求項１に記載の可動部材と回動部材の制御装置。
【請求項３】
前記可動部材の前記ポップアップ動作禁止を報知する報知手段を備えることを特徴とする請求項１または２に記載の可動部材と回動部材の制御装置。
【請求項４】
本体に対し収納及び突出可能にポップアップ動作する可動部材と、
前記本体に対し回動可能にチルトアップ動作する回動部材と、を備える機器であって、
前記可動部材のポップアップ状態において、前記回動部材のチルトアップ動作時に連動して前記可動部材を前記収納方向にダウン動作させる連動機構を備えることを特徴とする可動部材と回動部材の連動装置。
【請求項５】
前記連動機構は、前記回動部材の所定角度以上のチルトアップ動作に連動して前記可動部材をダウン動作させることを特徴とする請求項４に記載の可動部材と回動部材の連動装置。
【請求項６】
前記所定角度は、前記可動部材のポップアップ状態において、前記回動部材がチルトアップ動作して前記ポップアップ状態の前記可動部材と干渉する直前のチルトアップ角度に相当することを特徴とする請求項２に記載の可動部材と回動部材の制御装置、または請求項５に記載の可動部材と回動部材の連動装置。
【請求項７】
前記可動部材は、カメラボディに組み込まれるストロボであり、
前記回動部材は、前記カメラボディ背面側にヒンジ結合されて、前記カメラボディ上にチルトアップ動作可能な表示ユニットであることを特徴とする電子機器請求項１から３、６のいずれか一項に記載の可動部材と回動部材の制御装置、または請求項４から６のいずれか一項に記載の可動部材と回動部材の連動装置。
【請求項８】
請求項１から３、６、７のいずれか一項に記載の可動部材と回動部材の制御装置、または請求項４から７のいずれか一項に記載の可動部材と回動部材の連動装置を備えることを特徴とする電子機器。
【発明の詳細な説明】
【技術分野】
【０００１】
本発明は、ポップアップ動作するストロボ等の可動部材とチルトアップ動作する表示ユニット等の回動部材の制御装置と、可動部材と回動部材の連動装置と、その可動部材と回動部材の制御装置または連動装置を備える電子機器に関する。
【背景技術】
【０００２】
カメラにおいて、垂直方向にポップアップするストロボを備えるとともに、背面にヒンジ結合してチルトアップ等の姿勢変更可能な表示ユニットを備えるものがある（例えば特許文献１、２参照）。
【０００３】
例えばコンパクトカメラにおいて、図９及び図１０に示すように、カメラボディ１上に、ストロボ３をポップアップするとともに、表示ユニット５を背面からヒンジ結合部６でチルトアップして所謂自分撮りすることがある。
【先行技術文献】
【特許文献】
【０００４】
【特許文献１】特開２００８−２０３６８３号公報
【特許文献２】特開２０１０−１０３９２１号公報
【発明の概要】
【発明が解決しようとする課題】
【０００５】
しかし、コンパクトカメラにおいては、図示したように、ポップアップ状態のストロボ３とチルトアップ状態の表示ユニット５が干渉しやすい。
この干渉を回避するためには、カメラボディ１の厚さを増やして表示ユニット５のヒンジ結合部６をさらに背面方向に移動するなど、カメラの小型化に反する対応が必要になる。
【０００６】
本発明の課題は、ポップアップ動作するストロボ等の可動部材とチルトアップ動作する表示ユニット等の回動部材との干渉を未然に防止して、可動部材と回動部材を備える機器を小型化することである。
【課題を解決するための手段】
【０００７】
以上の課題を解決するため、本発明は、
本体に対し収納及び突出可能にポップアップ動作する可動部材と、
前記本体に対し回動可能にチルトアップ動作する回動部材と、を備える機器であって、
前記回動部材のチルトアップ動作時に前記可動部材のポップアップ動作を禁止する制御手段を備える、可動部材と回動部材の制御装置を特徴とする。
【発明の効果】
【０００８】
本発明によれば、回動部材のチルトアップ動作時に可動部材のポップアップ動作を禁止することで、回動部材と可動部材の干渉を未然に防止できるため、可動部材と回動部材を備える機器を小型化することができる。
従って、例えばストロボをポップアップ状態にして表示ユニットをチルトアップ状態にするコンパクトカメラにおいて、表示ユニットのチルトアップ動作時にストロボのポップアップ動作を禁止して、表示ユニットとストロボの干渉を未然に防止することができるため、カメラボディの厚さを増やすなどの対応が不要となり、カメラを小型化することができる。
【図面の簡単な説明】
【０００９】
【図１】本発明を適用した電子機器の一実施形態の構成を示すもので、カメラのストロボ収納状態を示す斜視図である。
【図２】図１のストロボのポップアップ状態を示す図である。
【図３】図１の表示ユニットのチルトアップ動作時の図である。
【図４】図３の表示ユニットのヒンジ結合部まわりの構成を示す側面図である。
【図５】図４のヒンジ結合部まわりの拡大図である。
【図６】制御のフローチャートである。
【図７】実施形態２を示すもので、ストロボポップアップ状態で表示ユニットチルトアップ動作時を示す側面図である。
【図８】図７の連動機構部の拡大斜視図である。
【図９】従来のストロボポップアップ状態で表示ユニットチルトアップ状態を示す斜視図である。
【図１０】図９のストロボポップアップ状態で表示ユニットチルトアップ状態の問題点を指摘する側面図である。
【発明を実施するための形態】
【００１０】
以下、図を参照して本発明を実施するための形態を詳細に説明する。
（実施形態１）
図１から図３は本発明を適用した電子機器の一実施形態の構成としてカメラを示すもので、１はカメラボディ（本体）、２はレンズ、３はストロボ（可動部材）、５は表示ユニット（回動部材）、６はヒンジ結合部である。
【００１１】
図示のように、コンパクトカメラで、カメラボディ１には、前面にレンズ２が備えられ、上面に可動部材としてのストロボ３が収納及び突出ポップアップ動作可能に組み付けられている。
そして、カメラボディ１の背面には、回動部材としての表示ユニット５が上端のヒンジ結合部６で回動してカメラボディ１上方の垂直状態までチルトアップ動作可能に備えられている。
【００１２】
図１はストロボ３がカメラボディ１に収納されて閉じた状態の外観を、図２はストロボ３がカメラボディ１上にポップアップして発光部３ａが露出した状態の外観を示している。
【００１３】
ここで、ストロボ３は、図示しないが、コイル状のバネにより上方への突出方向に常時付勢されていて、ソレノイドの電流遮断により収納状態にロックされて、ソレノイドへの電流供給で収納状態のロックが解除されてバネの付勢力によりポップアップ動作する。
【００１４】
図３は表示ユニット５のチルトアップ動作時の状態の外観を示し、具体的には、表示ユニット５がヒンジ結合部６のヒンジ軸６ａ（図４参照）を中心に回動して概ね１３５度開いた状態を示す。
【００１５】
図４は表示ユニット５のヒンジ結合部６まわりの構成を示すもので、表示ユニット５の開閉角が概ね１３５度の状態を示す。
図５はその要部を拡大して示す。
【００１６】
図示のように、表示ユニット５が回動する中心のヒンジ軸６ａには、同軸上の軸穴６ｂ及びカム６ｃが設けられ、表示ユニット５がヒンジ軸６ａと一体に回動すると同時に、軸穴６ｂ及びカム６ｃも回動する。
【００１７】
そして、軸穴６ｂに、スイッチホルダ７の上方に設けた軸７ｂが挿入されている。
このスイッチホルダ７に支持されたスイッチ８のレバー８ａに、回動するカム６ｃが接触する。
【００１８】
また、スイッチホルダ７の下端に円柱部７ａが形成されて、カメラボディ１に固定される固定部材９の溝９ａに嵌り、上下動及び回動が可能で、左右方向のみ動きが規制される。
【００１９】
ここで、カム６ｃは回動してスイッチ８のレバー８ａと接触したところで、スイッチ８はまだＯＦＦとなっているが、表示ユニット５がさらに回動すると、スイッチ８はＯＮになる。
【００２０】
以上において、表示ユニット５を一定角度（概ね１３５°）以上開くと、スイッチ８がＯＮになり、ストロボ３をポップアップさせない制御を行う。
さらに、ストロボ３の自動発光が選択されるＡＵＴＯモードに設定している場合、そのモードが一時的に解除される。
それら、ストロボ３がポップアップしない（発光しない）ことや、ストロボ３の自動発光が解除されたことを、表示ユニット５の画面表示や音で警告・報知する。
【００２１】
次に、図６に制御のフローチャートを示す。
この制御動作は、カメラに搭載されたＣＰＵ等の制御部によって行われる。
【００２２】
フローチャートのように、判定手段によりスイッチ８がＯＮか否かが判定され（ステップＳ１）、スイッチ８がＯＮであれば、制御手段によりストロボ３のポップアップが禁止され（ステップＳ２）、続いて、報知手段による音声・表示等（表示ユニット５の画面表示等を含む）の警告・報知がなされてから（ステップＳ３）、ステップＳ１の処理に戻る。
【００２３】
また、スイッチ８がＯＮでなければ、制御手段によるストロボ３のポップアップ禁止や警告・報知が解除されてから（ステップＳ４）、ステップＳ１の処理に戻る。
【００２４】
このように、表示ユニット５が概ね１３５°開いたところで、スイッチ８がＯＮになり、ストロボ３のポップアップを禁止することで、表示ユニット５とストロボ３の干渉を未然に防ぐことができる。
【００２５】
以上、実施形態のストロボ３と表示ユニット５を備えるカメラによれば、表示ユニット５が適度に所定角度（概ね１３５°）以上開いたところで、スイッチ８がＯＮになり、ストロボ３のポップアップを禁止することで、表示ユニット５とストロボ３の干渉を未然に防ぐことができる。
【００２６】
従って、カメラボディ１上において、所定角度以上にチルトアップ状態の表示ユニット５に対するストロボ３の干渉がなくなり、カメラボディ１の厚さを増やすなどの対応が不要となり、カメラを小型化することができる。
【００２７】
また、報知手段による音声・表示等の警告・報知により、使用者による誤認や誤操作を防ぐことができる。
【００２８】
（実施形態２）
図７は実施形態２を示すもので、ストロボ３のポップアップ状態において、表示ユニット５のチルトアップ動作時を示している。
図８はその連動機構部を拡大して示す。
【００２９】
図示のように、ストロボ３の下部に後方に伸びる腕部３ｂを設けて、表示ユニット５のヒンジ軸６ａの端面部に、腕部３ｂ上に当接可能な駒６ｄを設けている。
【００３０】
従って、ストロボ３のポップアップ状態において、表示ユニット５をチルトアップ動作して適度に所定角度（概ね１３５°）以上開いたところで、図示のように、表示ユニット５と一体に回転動作するヒンジ軸６ａ端面の駒６ｄがストロボ３下部から後方に伸びた腕部３ｂ上に当接して抵抗力が急に大きくなる。そして、その抵抗力に逆らって更に表示ユニット５を開こうとすると、駒６ｄが腕部３ｂを押し下げてストロボ３がダウン動作して更に抵抗力が大きくなる。
【００３１】
これにより、ストロボ３のポップアップ状態で表示ユニット５をチルトアップ動作しても、途中で急激に重くなって異変（ストロボ３が突出したままになっていること）を使用者に知らせるので、ポップアップ状態のストロボ３と表示ユニット５の干渉を未然に防ぐことができる。
【００３２】
従って、カメラボディ１上において、垂直にポップアップ状態のストロボ３に対する表示ユニット５の所定角度以上のチルトアップ動作時の干渉がなくなり、カメラボディ１の厚さを増やすなどの対応が不要となり、カメラを小型化することができる。
【００３３】
なお、実施形態２において、表示ユニット５をカメラボディ１上方に垂直状態までチルトアップ動作させるためには、表示ユニット５がヒンジ結合部６に対して、図７に矢印で示すように、ある程度スライド動作する構造の方が好ましい。
【００３４】
（変形例）
以上の実施形態においては、カメラとしたが、本発明はこれに限定されるものではなく、カメラを備える携帯電話など他の電子機器であってもよい。
また、実施形態では、ストロボと表示ユニットとしたが、アンテナやキャリングバッグのハンドルなど他の可動部材と、開閉蓋やカバーなど他の回動部材であってもよい。
さらに、回動部材の検出角度等も任意であり、その他、具体的な細部構造等についても適宜に変更可能であることは勿論である。
【００３５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
本体に対し収納及び突出可能にポップアップ動作する可動部材と、
前記本体に対し回動可能にチルトアップ動作する回動部材と、を備える機器であって、
前記回動部材のチルトアップ動作時に前記可動部材のポップアップ動作を禁止する制御手段を備えることを特徴とする可動部材と回動部材の制御装置。
＜請求項２＞
前記回動部材が所定角度以上にチルトアップ動作されたか否かを判定する判定手段を備え、
前記回動部材が前記所定角度以上にチルトアップ動作されたと前記判定手段が判定した時、前記制御手段が前記可動部材のポップアップ動作を禁止することを特徴とする請求項１に記載の可動部材と回動部材の制御装置。
＜請求項３＞
前記可動部材の前記ポップアップ動作禁止を報知する報知手段を備えることを特徴とする請求項１または２に記載の可動部材と回動部材の制御装置。
＜請求項４＞
本体に対し収納及び突出可能にポップアップ動作する可動部材と、
前記本体に対し回動可能にチルトアップ動作する回動部材と、を備える機器であって、
前記可動部材のポップアップ状態において、前記回動部材のチルトアップ動作時に連動して前記可動部材を前記収納方向にダウン動作させる連動機構を備えることを特徴とする可動部材と回動部材の連動装置。
＜請求項５＞
前記連動機構は、前記回動部材の所定角度以上のチルトアップ動作に連動して前記可動部材をダウン動作させることを特徴とする請求項４に記載の可動部材と回動部材の連動装置。
＜請求項６＞
前記所定角度は、前記可動部材のポップアップ状態において、前記回動部材がチルトアップ動作して前記ポップアップ状態の前記可動部材と干渉する直前のチルトアップ角度に相当することを特徴とする請求項２に記載の可動部材と回動部材の制御装置、または請求項５に記載の可動部材と回動部材の連動装置。
＜請求項７＞
前記可動部材は、カメラボディに組み込まれるストロボであり、
前記回動部材は、前記カメラボディ背面側にヒンジ結合されて、前記カメラボディ上にチルトアップ動作可能な表示ユニットであることを特徴とする電子機器請求項１から３、６のいずれか一項に記載の可動部材と回動部材の制御装置、または請求項４から６のいずれか一項に記載の可動部材と回動部材の連動装置。
＜請求項８＞
請求項１から３、６、７のいずれか一項に記載の可動部材と回動部材の制御装置、または請求項４から７のいずれか一項に記載の可動部材と回動部材の連動装置を備えることを特徴とする電子機器。
【符号の説明】
【００３６】
１  カメラボディ（本体）
２  レンズ
３  ストロボ（可動部材）
３ａ  発光部
３ｂ  腕部
５  表示ユニット（回動部材）
６  ヒンジ結合部
６ａ  ヒンジ軸
６ｂ  軸穴
６ｃ  カム
６ｄ  駒
７  スイッチホルダ
７ａ  円柱部
７ｂ  軸
８  スイッチ
８ａ  レバー
９  固定部材
９ａ  溝
【図１】
2015102705.tif 000003
【図２】
2015102705.tif 000004
【図３】
2015102705.tif 000005
【図４】
2015102705.tif 000006
【図５】
2015102705.tif 000007
【図６】
2015102705.tif 000008
【図７】
2015102705.tif 000009
【図８】
2015102705.tif 000010
【図９】
2015102705.tif 000011
【図１０】
2015102705.tif 000012